(57)【要約】【課題】  先開形接続端子の脱落を防止できる新規な先開形接続端子の接続構造を提供する。【解決手段】  本発明は、挟持用ネジのネジ軸が挿通する股部分の半円形状の端縁と同心円状に設けられた少なくとも１つの突起又は突条を被挟持部の片面又は両面に備えた先開形接続端子と、前記ネジ軸の回転によって一方が他方に接離するように構成され、当該被挟持部を挟持することで前記接続端子との間で通電を可能にする１組の挟持部とからなり、前記少なくとも１つの突起または突条に向き合う前記１組の挟持部の少なくとも一方の挟持面には、前記ネジ軸と略同心にその直径よりも相対的に大きく、前記の突起または突条と係合可能な凹部がリング状に形成されてなる先開形接続端子の接続構造に関する。【選択図】  図１
2013246963.tif 000002
【特許請求の範囲】
【請求項１】
挟持用のネジ軸が挿通する股部分の半円形状の端縁と同心円状に設けられた少なくとも１つの突起又は突条を被挟持部の片面又は両面に備えた先開形接続端子と、
前記被挟持部をその厚さ方向に挟持可能であり、前記挟持用のネジ軸の回転により一方が他方に接離するように構成され、当該被挟持部を挟持することで前記接続端子との間で通電を可能にする１組の挟持部とからなり、
前記少なくとも１つの突起または突条に向き合う前記１組の挟持部の少なくとも一方の挟持面には、前記ネジ軸と略同心にその直径よりも相対的に大きく、前記の突起または突条と係合可能な凹部がリング状に形成されてなることを特徴とする先開形接続端子の接続構造。
【請求項２】
前記少なくとも１つの突起または突条は、前記接続端子の股部分と電線圧着部分との間に設けられてなる請求項１に記載の先開形接続端子の接続構造。
【発明の詳細な説明】
【技術分野】
【０００１】
本発明は、端子台や試験用端子などにおける先開形接続端子の接続構造に関する。
【背景技術】
【０００２】
常用される接続端子の種類の１つとして、先開形接続端子（Ｙ形圧着端子）がある。図５は、このような先開形接続端子の形状及びその端子台への接続方法を説明するための斜視図である。この図に示すように、先開形接続端子１０は、基端側に電線Wの芯線を挿通可能な導電性の円筒状部分１０ａを備え、その先端側には所定の間隔だけ離して平行に１対の突片１１、１１が導電性の被挟持部として延設された形状を備えている。この間隔は、これら１対の突片１１，１１の間に後述する端子ネジ５のネジ軸５ａが収まる程度に設定され、１対の突片１１，１１の股部分には、ネジ軸５ａの円形の断面に略合致する略半円形の端縁が形成されている。
【０００３】
また、図５に示す端子台は、端子ネジ５と、そのネジ軸に組み込まれた座金（第１挟持部）１７と基台（第２挟持部）１８とを備えている。第１挟持部１７と第２挟持部１８との間に先開形接続端子１０の突片１１，１１がネジ軸５ａを時挟むように挿入され、端子ネジ５を締め付けることで、端子台に先開形接続端子１０が接続される。
【０００４】
図６は、先開形接続端子を試験用端子に接続した別の従来例を示している。例えば、リレー盤の電圧・電流測定を実施するには，図６に示すように、測定用電線Ｗの一端に先開形接続端子１０を取り付け、該接続端子１０を不図示の測定器側の試験用端子２２に接続する方法が行われる。この場合、図に向かって上側に摘みを有する第１挟持部２３と第２挟持部２６との間に先開形接続端子１０の被挟持部１１を差し込み、第１挟持部２３の摘みを回転させることで、当該第１挟持部２３が第２挟持部２６に接近し、これらの挟持部の間で被挟持部１１が挟持され、先開形接続端子１０と試験用端子２２との間で通電可能な状態が形成される。
【０００５】
しかし、図６に示した従来例において、測定用電線Ｗに外力が加わり第２挟持部２６に対して第１挟持部２３が緩むと、先開形圧着端子１０が試験用端子２２から脱落し、事故につながることがある。例えば、電流測定時に測定器より接続端子１０が脱落して変流器２次回路が開放された場合には、開放端子に高電圧が発生し、作業者の感電や機器の損傷などの事故を引き起こす危険性が特に高い。
【０００６】
このようなネジの緩みによる先開形接続端子の脱落を解決すべく、従来より幾つかの提案がなされている。例えば、特許文献１の提案は、先開形接続端子の先端に突起状に形成された脱落防止機構を設けネジの締結作業が完了すると同時に初めて脱落防止機構が機能するように構成し、先開形接続端子と丸型接続端子との利点を同時に得るようにした電線接続端子に関するものである。また、特許文献２の提案は、接続ターミナルのネジ直径より小さく狭め端子平面に対して立上げ折り曲げられた先端部とネジで圧接される部分をたわみ盛り上げてバネ形状とし、当該部分にネジの回り防止の突起を配置した構成とし、電線の揺動や振動による端子の脱落や接続ターミナルと電線との接続不良を防止可能にした脱落防止端子に関するものである。
【０００７】
しかし、特許文献１の提案に係る電線接続端子は、一度使用すると、取り外し時に脱落防止機構における突起を起こす必要があり、作業性が悪く、繰り返し使用可能な構造とはなっておらず、測定用リード端子としては不適である。また、先端の脱落防止機構の突起部は営利な形状を備えることから、接続端子への電線接続作業時に作業者は手を怪我する危険性もある。また、特許文献２の提案に係る脱落防止端子の場合、ネジの回り防止用突起は繰り返しの使用により摩耗、変形するだけでなく、端子先端の折り曲げ部分はネジ留めにより変形するので、この脱落防止端子を取り外す場合にはネジを外さなければならず、繰り返し使用する測定用リード端子には不適である。
【先行技術文献】
【特許文献】
【０００８】
【特許文献１】実開平５−６７１８号公報
【特許文献２】実用新案登録第３１０２８７５号明細書
【発明の概要】
【発明が解決しようとする課題】
【０００９】
本発明は、前記事情に鑑み、先開形接続端子の脱落を防止できる新規な先開形接続端子の接続構造を提供することを目的とする。
【課題を解決するための手段】
【００１０】
前記目的は、本発明によれば、挟持用のネジ軸が挿通する股部分の半円形状の端縁と同心円状に設けられた少なくとも１つの突起又は突条を被挟持部の片面又は両面に備えた先開形接続端子と、前記被挟持部をその厚さ方向に挟持可能であり、前記挟持用のネジ軸の回転により一方が他方に接離するように構成され、当該被挟持部を挟持することで前記接続端子との間で通電を可能にする１組の挟持部とからなり、前記１組の挟持部の少なくとも一方の挟持面には、前記ネジ軸と略同心にその直径よりも相対的に大きく、前記少なくとも１つの突起または突条と係合可能な凹部がリング状に形成されてなることを特徴とする先開形接続端子の接続構造によって達成される。
【発明の効果】
【００１１】
本発明によれば、先開形接続端子の被挟持部の片面又は両面に少なくとも１つの突起又は突条を設ける一方、当該接続端子を挟持する接続部に前記少なくとも１つの突起または突条が侵入係合可能な凹部をリング状に形成することとしたので、端子ネジの緩みによる接続端子の脱落を確実に防止できる。また、特に電流、電圧測定などの目的で試験用端子に先開形接続端子を有する測定用電線を接続する場合においては、この接続構造が前記構成を備えることで、先開形接続端子の被挟持部は、挟持用のネジ軸の回転による締め付けにおいても突起の変形、磨耗が生じず、前記測定用電線を繰り返し使用することが可能となる。また、挟持部の凹部をリング状に形成したので、接続端子を３６０度どの方向からも接続可能であり、また接続端子の前記突起または突条の高さを超えて挟持用のネジを緩めることで、簡単に接続端子を差し込み取り外すことができるので、作業効率の向上も図られる。
【図面の簡単な説明】
【００１２】
【図１】本発明の先開形接続端子の接続構造の一実施形態を示す斜視図である。
【図２】図１に示す接続端子の突起及び挟持片の凹部を説明するための図である。
【図３】本発明における接続端子の突起及び突条の別の例を示す図である。
【図４】本発明の先開形接続端子の接続構造の実施形態の別の例を示す側面図である。
【図５】従来の先開形接続端子の端子台への接続状態の一例を示す斜視図である。
【図６】従来の先開形接続端子の試験用端子への接続状態の一例を示す側面図である。
【発明を実施するための形態】
【００１３】
次に、添付図面を参照して本発明の実施形態について詳細に説明するが、本発明は以下の実施形態に限定されない。なお、以下の各図において、同一また共通の各部については同一の符号を付すこととし、原則として重複する説明は省略する。
【００１４】
図１は本発明の先開形接続端子の接続構造の一実施形態の構成を示している。また、図２は、図１における先開形接続端子の被挟持面における突起（図２（ａ）参照）および第２挟持部の挟持面における凹部の配置（図２（ｂ）参照）を示したものである。
【００１５】
図１に示すように、本発明の先開形接続端子の接続構造１は、先開形接続端子１０と、端子ネジ５と、第１挟持部１７と、第２挟持部１８とを備えている。この図に示す先開形接続端子１０は、電線の芯線（不図示）を挿通可能な円筒状部分１０ａと、その先端側に所定の間隔だけ離して平行に延設された１対の突片（被挟持部）１１、１１とを備えている。被挟持部１１、１１の図に向かって下側の面、すなわち円筒状部分１０ａがある面とは反対の面には、図２（ａ）に示すように、１対の突片１１，１１の股部分１２の端子ネジ５のネジ軸５ａが当接される半円状の端縁と円筒状部分１０ｚとの間の領域に、当該端縁と同心円上に突起１４が突設されている。本実施形態においては、突起１４は前記同心円上に一定間隔で配置された３つの突起１４ａ、１４ｂ、１４ｃから構成されている。なお、突起の数は、図２の例のように３つに限定されず、少なくとも１つであれば足りる。
【００１６】
１対の突片１１，１１の間で端子ネジ５のネジ軸５ａを挟むように、先開形接続端子１０の被挟持部１１、１１が挟持部に挿入される。端子ネジ５としては、その頭部の真下に第１挟持部としての座金１７を備えた従来公知のものを好適に使用できる。この第１挟持部１７は、端子ネジ５のネジ軸５ａに単に挿通されていてもよく、いわゆる座金組み込み型端子ネジのように当該ネジ軸５ａに組み込まれていてもよい。
【００１７】
本実施形態における第２挟持部１８は、先開形接続端子１０との接触面に当該接続端子１０の３つの突起１４ａ、１４ｂ、１４ｃがそれぞれ係合するよう、ネジ軸５ａの軸線と同心のリング状に凹部（溝）２０が形成されている。この凹部２０は、そのネジ軸５ａの軸線に平行な断面が矩形状を呈し、その深さは前記突起１４ａ〜１４ｃの突出高さよりも大きく、これらの突起１４ａ〜１４ｃは凹部２０内に完全に収容されるようになっている。
なお、図１に示す例では、第２挟持部18の外形形状は円筒状としているが、これに限定されるものではなく、例えば、通常の端子台のような略直方体状のほか、他の形状を採ることもできる。
【００１８】
本実施形態では、端子ネジ５をドライバーなどの適宜の工具を用いて締め付けることで、第１挟持部１７は第２挟持部１８に向けて接近していき、これらの挟持部１７、１８によって先開形接続端子１０の被挟持部１１が挟持される。このとき、接続端子１０の３つの突起１４ａ〜１４ｃはそれぞれ、凹部２０内に収容係合するので、端子ネジ５が緩んでも突起１４ａ〜１４ｃが凹部２０と係合する限り、先開形接続端子１０はこの接続構造１から脱落しない。
【００１９】
図３は、先開形接続端子の被挟持部１１に設けられた突起又は突条の別の例を示している。図３（ａ）に示す例では、１対の突片１１，１１の股部分１２の端縁と円筒状部分１０ａとの間の領域に、当該端縁と同心の円周上に突条１５が設けられている。また、図３（ｂ）に示す例では、１対の突片１１、１１を挟持部１７，１８の間に挿入した場合に端子ネジ（挟持用のネジ）のネジ軸５ａの位置よりも先端側に各１つの突起１６ａ、１６ｂ（これらをまとめて突起１６ということがある。）が設けられている。前記の突条１５および突起１６の突出高さは、図１に示した例と同様、第１挟持部１７と第２挟持部１８とによって接続端子１０が挟持された場合に、突条１５または突起１６が収容される第２挟持部の凹部に収容される程度に設定できる。
【００２０】
図４は、試験用端子とこれに接続される先開形接続端子とに本発明の先開形接続端子の接続構造を適用した実施形態の別の例を示す側面図である。この図に示す先開形接続端子１０は、被挟持部１１の円筒状部分１０ａが設けられた側の面に突起１４が形成されている。また、この図において、符号２２は試験用端子であり、第１挟持部２３は図に向かって上側に摘みを有し、接続端子１０の被挟持部１１との接触面には、ネジ軸２３ａの軸芯と同心となるリング状の凹部２４が形成されている。また、第２挟持部２６にも被挟持部１１との接触面に同様にリング状の凹部２７が形成されている。
【００２１】
図４において、２条の電線の一端にそれぞれ取り付けられた先開形接続端子１０を円筒状部分１０ａをそれぞれ外側に向けて重ね合わせる。これにより、それぞれの接続端子１０、１０の突起１４、１４は互いに反対向きとなる。このように重ね合わせた先開形接続端子１０、１０を第１挟持部２３と第２挟持部２６との間に差し込み、第１挟持部２３の摘みを回してネジ軸２３ａを回転させてこれを第２挟持部２６に接近させ、２つの重ね合わせた接続端子１０、１０を締め付ける。このとき、それぞれの接続端子１０，１０における突起１４、１４は、第１挟持部２３及び第２挟持部２６にそれぞれ設けられた凹部２４、２７にそれぞれ収容されることになる。
【００２２】
これにより、２つの先開形接続端子１０、１０を締め付ける第１挟持部２３がその凹部２４から突起１４が外れる程度に緩まない限り、試験用端子２２から接続端子１０が脱落することがない。また、このように凹部２４、２７にそれぞれ突起１４，１４が収容されるように構成することで、接続端子１０、１０はともに摩耗、変形することなく、この接続端子１０を備えた電線Ｗは繰り返し使用することが可能となる。さらに、このような試験用端子２２には、電線Ｗの一端に取り付けられた先開形接続端子１０を３６０度どの方向からも差し込むことが可能となる。
【産業上の利用可能性】
【００２３】
本発明の先開形接続端子の接続構造は、通常の端子台に先開形接続端子を接続する場合のほか、特に試験用端子に先開形接続端子を接続する場合に特に好適に使用できる。
【符号の説明】
【００２４】
１  先開形接続端子の接続構造
１０  先開形接続端子
１０ａ  円筒状部分
１１  突片（被挟持部）
１２  股部分
１４、１６  突起
１５  突条
１７、２３  第１挟持部
１８、２６  第２挟持部
２０、２４、２７  凹部（溝）
【図１】
2013246963.tif 000003
【図２】
2013246963.tif 000004
【図３】
2013246963.tif 000005
【図４】
2013246963.tif 000006
【図５】
2013246963.tif 000007
【図６】
2013246963.tif 000008